(57)【要約】      （修正有）【課題】最小限の構造で多種類のサイズのステープルに適用させてコストを削減し、機能性及び実用性を向上させることができるエアタッカーのステープルカセットを提供する。【解決手段】内側壁200、外側壁201、第一端31、第二端32、ステープルスロット15、ガンヘッド13、スライドベース20、複数の調整プレート30、弾性装置、ステープルを押すパーツを有し、ステープルを押すパーツが内部に縮み込むことにより、調整プレート30の上辺を隙間の中に入る場合、ステープルを押すパーツが天辺に接触されずに弾性で偏移することにより、異なる長さのステープルを挿入し、調整プレート30でステープル入れベース10の深さを調整する構成とする。【選択図】図２
2005014139.tif 000002
【特許請求の範囲】
【請求項１】
内側壁、外側壁、第一端、第二端、ステープルスロット、ガンヘッド、スライドベース、複数の調整プレート、弾性装置、ステープルを押すパーツを有し、
上記ガンヘッドは、ステープル入れベースの第一端に固定設置され、ステープル排出口でステープル入れベースと連通し、
上記スライドベースは、上記外側壁、上記内側壁、上記第一端、上記第二端をそれぞれ一つ含み、上記スライドベースの内側壁をスライドでステープル入れベースの内側壁中に設け、
上記調整プレートは、上記第一端、上記第二端を含み、上記第一端を上記スライドベースの内側壁にピボットで設けられ、
上記調整プレートの上記第二端の側エッジが突出されて一つの天辺が設けられ、
上記弾性装置は、上記調整プレート及び上記スライドベースの間に設けられることにより、上記調整プレートを弾性で接触し、
上記ステープルを押すパーツは、往復で上記スライドベースの内側壁にスライドで設けられ、上記調整プレートの上記天辺に接触され、上記ステープルを押すパーツに複数のステープルを押す爪が設けられ、二つのステープルを押す爪の間に一つの隙間が設けられ、
上記ステープルを押すパーツが内部に縮み込むことにより、上記調整プレートの上記天辺を隙間の中に入る場合、上記ステープルを押すパーツが上記天辺に接触されずに弾性で偏移することにより、異なる長さのステープルを挿入し、上記調整プレートで上記ステープル入れベースの深さを調整することを特徴とするエアカッターのステープルカセット。
【請求項２】
上記ステープル入れベースの第二端には、上記外側壁上に一つのコネクションピースが設けられ、上記コネクションピースによりエアカッターと結合され、
上記コネクションピースには、一つのラッチ穴が設けられ、上記スライドベースの第二端に一つの弾性ラッチ爪のあるボトムが設けられ、上記弾性ラッチ爪を上記ラッチ穴にラッチすることを特徴とする請求項１記載のエアカッターのステープルカセット。
【請求項３】
上記ステープル入れベースの上記天辺、上記ボトムにエッジが設けられ、上記スライドベースの上記内側壁の上、下エッジにコンケーブスロットが設けられ、
上記コンケーブスロットが上記エッジと嵌められ、上記スライドベースを上記ステープル入れベースと相対にスライドさせて結合されることを特徴とする請求項１又は２記載のエアカッターのステープルカセット。
【請求項４】
上記スライドベースの内側壁には、上記調整プレートが入れられるスロットが設けられ、
上記調整プレートの上記第一端に貫通穴が設けられ、一つの定位ピンを上記貫通穴に貫通して、上記調整プレートをピボットして接続させ、上記定位ピンで上記調整プレートの軸方向への変位を制限することを特徴とする請求項１乃至３いずれか一項記載のエアカッターのステープルカセット。
【請求項５】
上記スライドベースの上記内側壁上には、二つのスプリングスロットが設けられ、上記ステープルを押すパーツの両側エッジに、スプリングブッシュが設けられ、
上記スプリングブッシュに上記スプリングを取り付けて上記スプリングスロットの中に入れることを特徴とする請求項１乃至４いずれか一項記載のエアカッターのステープルカセット。
【請求項６】
上記スライドベースの上記外側壁が上記第一端と近い場所に一つのギャップが設けられ、上記ギャップを上記スライドベースの内側壁に通過し、上記ギャップに対して一つの側に複数のスプリング入れ穴が設けられ、
上記弾性装置は、複数の弾性体を有し、上記スプリング入れ穴の中に入れることで、上記調整プレートと接触し、又は一つのリミットピースをギャップの中に取り付けて、上記リミットピースの脱出及び上記ステープルを押すパーツの往復運動を制限することを特徴とする請求項１乃至５いずれか一項記載のエアカッターのステープルカセット。
【発明の詳細な説明】
【０００１】
【発明の属する技術分野】
本発明は、エアカッターのステープルカセットに係り、特に、多種類のサイズのステープルに適用可能なエアカッターのステープルカセットに関するものである。
【０００２】
【従来の技術】
従来、エアカッターのステープルカセットは、ステープルに応じたいろいろなサイズのものを備えることにより、違う工作物の固定に適用させることができる。エアカッターのステープルカセットが多種のサイズのステープルに適用させることで、効率的に工作を行うことができる。図８は、従来のエアカッターのステープルカセットを示す分解斜視図である。図８に示すように、従来のエアカッターのステープルカセットにおいて、カバー４０’はフレーム５１’及びカバープレート４１’で構成されている。フレーム５１’及びカバープレート４１’は一体で構成されることではない。
【０００３】
また、ステープルを押すプレート８１’がスライドでカバー４０’及び本体２０’の間に設けられている。通常の位置にある場合、その押すプレート８１’の曲部がガイドプレート６０’に接触し、そのプレート６０’が二つの弾性体７０’に接触する。そのガイドプレート６０’とステープルを押すプレート８１’の接触する面は、平坦なストレート形状であるため、そのステープルカセットに違うサイズのステープルを入れる場合、その押すプレート８１’が押される。これにより、カバー４０’の末端へスライド移動される。更に、カバー４０’の前端にある弾性体７０’を通過することにより、ガイドプレート６０’が弾性体７０’よりの良い接触力を得られる。そのため、ガイドプレート６０’が入れられるスロット２１’の深さを調整することで、違う長さのステープルを入れることができる。
【０００４】
一方、ガイドプレート６０’をカバー４０’の両端にあるガイドプレート穴５３’に嵌めることで、平均して二つの弾性体７０’に接触されるため、ガイドプレート６０’が偏移することでスロット２１’の深さを調整するのが難しい。そのため、エアカッターのステープルカセットの中に違うサイズのステープルを入れる場合、ステープルを押すプレート８１’をスライドでカバー４０’の末端の位置に移動させることで、ガイドプレート６０’がカバー４０’の前端と近い場所にある弾性体７０’に接触させ、スロット２１’の深さを調整とすることが必要である。そのため、カバー４０’の前端と近い場所にある弾性体７０’が無駄に設けられることになる。上述によると、従来のエアカッターのステープルカセットは複雑な構造であり、実用性に欠けるため改良の必要がある。
【０００５】
【発明が解決しようとする課題】
ところが、従来のエアカッターのステープルカセットの構造は、ガイドプレート６０’毎にスプリング６６’が設けられるなど、構造が複雑で全体にパーツの使用数が相当に多くなり、コストが増加してしまうという問題点があった。
【０００６】
また、多種類のステープルを入れた後にスロット２１’の深さを調整することが必要であるが、例えば、ステープルの数量が少ない場合、スロット２１’の深さを調整しにくく、機能性及び実用性に欠けるという問題点があった。
【０００７】
そこで、本発明の課題は、最小限の構造で多種類のサイズのステープルに適用させてコストを削減し、機能性及び実用性を向上させることができるエアカッターのステープルカセットを提供することである。
【０００８】
【課題を解決するための手段】
本発明人は上記課題を解決するため、本発明は、請求項１に記載されるように、内側壁、外側壁、第一端、第二端、ステープルスロット、ガンヘッド、スライドベース、複数の調整プレート、弾性装置、ステープルを押すパーツを有し、上記ガンヘッドは、ステープル入れベースの第一端に固定設置され、ステープル排出口でステープル入れベースと連通し、上記スライドベースは、上記外側壁、上記内側壁、上記第一端、上記第二端をそれぞれ一つ含み、上記スライドベースの内側壁をスライドでステープル入れベースの内側壁中に設け、上記調整プレートは、上記第一端、上記第二端を含み、上記第一端を上記スライドベースの内側壁にピボットで設けられ、上記調整プレートの上記第二端の側エッジが突出されて一つの天辺が設けられ、上記弾性装置は、上記調整プレート及び上記スライドベースの間に設けられることにより、上記調整プレートを弾性で接触し、上記ステープルを押すパーツは、往復で上記スライドベースの内側壁にスライドで設けられ、上記調整プレートの上記天辺に接触され、上記ステープルを押すパーツに複数のステープルを押す爪が設けられ、二つのステープルを押す爪の間に一つの隙間が設けられ、上記ステープルを押すパーツが内部に縮み込むことにより、上記調整プレートの上記天辺を隙間の中に入る場合、上記ステープルを押すパーツが上記天辺に接触されずに弾性で偏移することにより、異なる長さのステープルを挿入し、上記調整プレートで上記ステープル入れベースの深さを調整する構成としてもよい。
【０００９】
このようなエアカッターのステープルカセットでは、内側壁、外側壁、第一端、第二端、ステープルスロット、ガンヘッド、スライドベース、複数の調整プレート、弾性装置、ステープルを押すパーツを有し、ガンヘッドは、ステープル入れベースの第一端に固定設置され、ステープル排出口でステープル入れベースと連通し、スライドベースは外側壁、内側壁、第一端、第二端をそれぞれ一つ含み、スライドベースの内側壁をスライドでステープル入れベースの内側壁中に設け、調整プレートは第一端、第二端を含み、第一端をスライドベースの内側壁にピボットで設けられ、調整プレートの第二端の側エッジが突出されて一つの天辺が設けられ、弾性装置は調整プレート及びスライドベースの間に設けられることにより調整プレートを弾性で接触し、ステープルを押すパーツは、往復でスライドベースの内側壁にスライドで設けられ、調整プレートの天辺に接触され、ステープルを押すパーツに複数のステープルを押す爪が設けられ、二つのステープルを押す爪の間に一つの隙間が設けられ、ステープルを押すパーツが内部に縮み込むことにより、調整プレートの天辺を隙間の中に入る場合、ステープルを押すパーツが天辺に接触されずに弾性で偏移することにより、異なる長さのステープルを挿入し、調整プレートでステープル入れベースの深さを調整するため、最小限の構造で多種類のサイズのステープルに適用させてコストを削減し、機能性及び実用性を向上させることができる。
【００１０】
また、本発明は、請求項２に記載されるように、上記ステープル入れベースの第二端には、上記外側壁上に一つのコネクションピースが設けられ、上記コネクションピースによりエアカッターと結合され、上記コネクションピースには、一つのラッチ穴が設けられ、上記スライドベースの第二端に一つの弾性ラッチ爪のあるボトムが設けられ、上記弾性ラッチ爪を上記ラッチ穴にラッチする構成としてもよい。
【００１１】
このようなエアカッターのステープルカセットでは、ステープル入れベースの第二端には、外側壁上に一つのコネクションピースが設けられ、コネクションピースによりエアカッターと結合され、コネクションピースには、一つのラッチ穴が設けられ、スライドベースの第二端に一つの弾性ラッチ爪のあるボトムが設けられ、弾性ラッチ爪を上記ラッチ穴にラッチすることにより、最小限の構造で多種類のサイズのステープルに適用させてコストを削減し、機能性及び実用性を向上させることができる。
【００１２】
また、本発明は、請求項３に記載されるように、上記ステープル入れベースの上記天辺、上記ボトムにエッジが設けられ、上記スライドベースの上記内側壁の上、下エッジにコンケーブスロットが設けられ、上記コンケーブスロットが上記エッジと嵌められ、上記スライドベースを上記ステープル入れベースと相対にスライドさせて結合される構成としてもよい。
【００１３】
このようなエアカッターのステープルカセットでは、ステープル入れベースの天辺、ボトムにエッジが設けられ、スライドベースの内側壁の上、下エッジにコンケーブスロットが設けられ、コンケーブスロットがエッジと嵌められ、スライドベースをステープル入れベースと相対にスライドさせて結合されることにより、最小限の構造で多種類のサイズのステープルに適用させてコストを削減し、機能性及び実用性を向上させることができる。
【００１４】
また、本発明は、請求項４に記載されるように、上記スライドベースの内側壁には、上記調整プレートが入れられるスロットが設けられ、上記調整プレートの上記第一端に貫通穴が設けられ、一つの定位ピンを上記貫通穴に貫通して、上記調整プレートをピボットして接続させ、上記定位ピンで上記調整プレートの軸方向への変位を制限する構成としてもよい。
【００１５】
このようなエアカッターのステープルカセットでは、スライドベースの内側壁には、調整プレートが入れられるスロットが設けられ、調整プレートの第一端に貫通穴が設けられ、一つの定位ピンを貫通穴に貫通して、調整プレートをピボットして接続させ、定位ピンで調整プレートの軸方向への変位を制限することにより、最小限の構造で多種類のサイズのステープルに適用させてコストを削減し、機能性及び実用性を向上させることができる。
【００１６】
また、本発明は、請求項５に記載されるように、上記スライドベースの上記内側壁上には、二つのスプリングスロットが設けられ、上記ステープルを押すパーツの両側エッジに、スプリングブッシュが設けられ、上記スプリングブッシュに上記スプリングを取り付けて上記スプリングスロットの中に入れる構成としてもよい。
【００１７】
このようなエアカッターのステープルカセットでは、スライドベースの内側壁上には、二つのスプリングスロットが設けられ、ステープルを押すパーツの両側エッジに、スプリングブッシュが設けられ、スプリングブッシュにスプリングを取り付けてスプリングスロットの中に入れることにより、最小限の構造で多種類のサイズのステープルに適用させてコストを削減し、機能性及び実用性を向上させることができる。
【００１８】
また、本発明は、請求項６に記載されるように、上記スライドベースの上記外側壁が上記第一端と近い場所に一つのギャップが設けられ、上記ギャップを上記スライドベースの内側壁に通過し、上記ギャップに対して一つの側に複数のスプリング入れ穴が設けられ、上記弾性装置は、複数の弾性体を有し、上記スプリング入れ穴の中に入れることで、上記調整プレートと接触し、又は一つのリミットピースをギャップの中に取り付けて、上記リミットピースの脱出及び上記ステープルを押すパーツの往復運動を制限する構成としてもよい。
【００１９】
このようなエアカッターのステープルカセットでは、スライドベースの外側壁の第一端と近い場所に設けられたギャップをスライドベースの内側壁に通過し、ギャップに対して一つの側に複数のスプリング入れ穴が設けられ、弾性装置は複数の弾性体を有し、スプリング入れ穴の中に入れることで、調整プレートと接触し、又は一つのリミットピースをギャップの中に取り付けて、リミットピースの脱出及びステープルを押すパーツの往復運動を制限することにより、最小限の構造で多種類のサイズのステープルに適用させてコストを削減し、機能性及び実用性を向上させることができる。
【００２０】
【発明の実施の形態】
図１は、本発明の一実施例に係るエアカッターのステープルカセットを示す斜視図である。図２は、本発明の一実施例に係るエアカッターのステープルカセットの分解斜視図である。図１、２に示すように、本発明のエアカッターのステープルカセットは、一つのステープル入れベース１０があり、その中に内側壁１０１、外側壁１０２、第一端１１及び第二端１２がそれぞれ一つ設けられている。その第一端１１には、ガンヘッド１３が固定され、そのガンヘッド１３に一つのステープル排出口１３１、及びステープル排出口１３１と連通するガイドスロット１３２が設けられている。また、その第二端１２の外側壁１０２の上に、一つのコネクション・ピース１４が設けられている。内側壁１０１には、一つのステープル・スロット１５があり、それをガイドスロット１３２と接続とし、及び天辺、ボトムにエッジ１６が設けられている。また、そのコネクション・ピース１４に一つのラッチ穴１４１が設けられている。
【００２１】
また、本発明のエアカッターのステープルカセットには、一つのスライドベース２０があり、その中に外側壁２０１、内側壁２０２、第一端２１及び第二端２２を各一つ含む。その内側壁２０２の上、下エッジにコンケーブスロット２３を設けることで、コンケーブスロット２３をエッジ１６と嵌められる。そのスライドベース２０をステープル入れベース１０と相対にスライドさせて結合させる。また、内側壁２０２の上に複数のスロット２３１及び二つのスプリングスロット２３２が設けられ、そのスライドベース２０の外側壁２０１の第一端２１と近い場所に一つのギャップ２４が設けられ、そのギャップ２４をスロット２３１及びスプリングスロット２３２とを連通する。更に、ギャップ２４に対して一つの側に一つのねじ穴２４１及び複数のスプリング入れ穴２４２を設けて、スロット２３１と連通するものである。
【００２２】
複数の調整プレート３０があり、それは調整プレート３０ａ、３０ｂ、３０ｃ、３０ｄ、３０ｅで構成されている。それを内側壁２０２のスロット２３１の中に入れる。その調整プレート３０に第一端３１及び第二端３２があり、その第一端３１に１個の貫通穴３１１が設けられ、一つの定位ピン３３をその中に貫通して、複数の調整プレート３０をピボットして接続させ、その第二端３２に一つの斜めエッジ３２１があり、及び斜めエッジ３２１の後ろに天辺３２２が設けられている。
【００２３】
一つのステープルを押すパーツ４０があり、その両側エッジにスプリングブッシュ４１が設けられ、その二つのステープルを押す爪４２の間に一つの隙間４２１が設けられている。そのステープルを押すパーツ４０でのスプリングブッシュ４１にスプリング４３が設けられている。それを内側壁２０２にあるスプリングスロット２３２の中に入れることで、ステープルを押すパーツ４０が調整プレート３０を被れるし、往復式で内側壁２０２の中にスライドできる。また、スプリング４３による、ステープルを押す爪４２をステープル入れベース１０のガイドスロット１３２へ押す状態を維持できる。更に、その調整プレート３０を横方向への離脱することを制限できる。その中に、ステープルを押すパーツ４０が調整プレート３０に接触させ、且つ、ステープルを押す爪４２をそれらの調整プレート３０と交差で設けられている。
【００２４】
図３は、本発明の一実施例に係るエアカッターのステープルカセットの断面図である。図３に示すように、弾性体２５でそれらの調整プレート３０を接触し、それらの調整プレート３０が天辺３２２によるステープルを押すパーツ４０を接触し、ステープルを押すパーツ４０がスプリング４３に接触され、それによるステープルを押す爪４２がガイドスロット１３２へ押す状態を維持できる。
【００２５】
図４は、本発明のエアカッターのステープルカセットにステープルＡを挿入した場合を示す断面図である。ステープルＡをステープル入れベース１０のステープルスロット１５に置いて、スライドベース２０をステープル入れベース１０と相対してスライドで移動させることで、ステープルＡがステープルを押すパーツ４０を押して縮ませてから、スライドベース２０の第二端２２へ移動させる。図４に示すように、移動中、ステープルを押すパーツ４０が調整プレート３０の斜めエッジ３２１に沿って、所定距離を移動した後、ステープルを押すパーツ４０の隙間４２１が形成され、調整プレート３０の天辺３２２がその中に入ることで、調整プレート３０が弾性体２５に接触されるので、調整プレート３０が天辺３２２と同時に隙間４２１の中に入った後すぐ偏移する。
【００２６】
図５は、図１に示すエアカッターのステープルカセットに短いステープルＡを挿入した場合のＡ−Ａの断面図である。図５に示すように、調整プレート３０ａ、３０ｂでステープルＡを下へ押し、調整プレート３０ｃ、３０ｄ、３０ｅでステープルＡの末端を止めることで、ステープルＡの違う長さによる、調整プレート３０でステープルスロット１５の深さを調整して、ステープルＡの変位を制限できるので、エアカッターのステープルカセットが多種類のサイズのステープルＡに適用する目的を達成できる。
【００２７】
図６は、図１に示すエアカッターのステープルカセットに長いステープルＢを挿入した場合のＡ−Ａの断面図である。図６に示すように、より長いステープルＢをステープルスロット１５に置いて、ステープルＢがステープルを押すパーツ４０を押して縮ませてから、スライドベース２０の第二端２２へ移動させる。ステープルＢがステープルを押すパーツ４０が所定距離を移動した後、ステープルを押すパーツ４０の隙間４２１が形成され、調整プレート３０の天辺３２２がその中に入ることで、調整プレート３０が弾性体２５に接触されたので、調整プレート３０が天辺３２２と同時に隙間４２１の中に入った後すぐ偏移する。調整プレート３０ａ、３０ｂ、３０ｃ、３０ｄでステープルＢの長さによるステープルＢを下へ押し、調整プレート３０ｅでステープルＢの末端を止めることで、ステープルＢの変位を制限できるので、エアカッターのステープルカセットが多種類のサイズのステープルカセットＢに適用する目的を達成することができる。
【００２８】
図７は、本発明のエアカッターのステープルカセットをエアカッターに取り付けた状態を示す側面図である。図７に示すように、ステープル入れベース１０がコネクションピース１４を利用して、エアカッター本体６０と結合させることができる。
【００２９】
上述した本発明のエアカッターのステープルカセットは、以下の長所がある。
【００３０】
本発明のエアカッターのステープルカセットは、ステープルをステープル入れベースのステープルスロットに置いて、スライドベースをステープル入れベースと相対してスライドで移動させることで、ステープルがステープルを押すパーツを押して縮ませてから、スライドベースの第二端へ移動させる。移動中、ステープルを押すパーツが調整プレートの斜めエッジに沿って、ある距離を移動した後、ステープルを押すパーツの隙間が形成され、調整プレートの天辺がその中に入ることで、調整プレートが弾性体に接触されるので、調整プレートが天辺と同時に隙間の中に入った後すぐ偏移する。これにより、一部の調整プレートでステープルを下へ押し、一部の調整プレートでステープルの末端を止めることで、ステープルの違う長さによる、ステープル・スロットの深さを調整して、タッカのステープルカセットが多種のサイズのステープルに適用する目的を達成することができる。
【００３１】
また、本発明のエアカッターのステープルカセットは、調整プレートをスライドベースの内側壁にピボットすることで、弾性装置に接触され、又、調整プレートでステープルを押すパーツを接触することで、ステープルを押すパーツが調整プレートの天辺に通過すると、その調整プレートを偏移させるので、ステープル・スロットの深さを調整する効果を達成できるため、ステープルを押すパーツを深く入り込んで、またはたくさん数量のステープルを取り付けることが必要でなくても、最小限の構造で多種類のサイズのステープルに適用させてコストを削減し、機能性及び実用性を向上させることができ、従来の構造の不便な点を改善することができる。
【００３２】
尚、上記本願発明のエアカッターのステープルカセットは、あくまでも最適実施例であり、本発明の実施範囲を制限するものではなく、特許請求の範囲と類似の変更、改良などは本発明の範疇に含まれるものとする。
【００３３】
【発明の効果】
このようなエアカッターのステープルカセットにおいて、ステープルを押すパーツが内部に縮み込み、調整プレートの天辺を隙間の中に入る場合、ステープルを押すパーツが天辺に接触されずに弾性で偏移することにより、異なる長さのステープルを挿入し、調整プレートでステープル入れベースの深さを調整するため、最小限の構造で多種類のサイズのステープルに適用させてコストを削減し、機能性及び実用性を向上させることができる。
【図面の簡単な説明】
【図１】本発明の一実施例に係るエアカッターのステープルカセットを示す斜視図である。
【図２】本発明の一実施例に係るエアカッターのステープルカセットの分解斜視図である。
【図３】本発明の一実施例に係るエアカッターのステープルカセットの断面図である。
【図４】本発明のエアカッターのステープルカセットにステープルＡを挿入した場合を示す断面図である。
【図５】図１に示すエアカッターのステープルカセットに短いステープルＡを挿入した場合のＡ−Ａの断面図である。
【図６】図１に示すエアカッターのステープルカセットに長いステープルＢを挿入した場合のＡ−Ａの断面図である。
【図７】本発明のエアカッターのステープルカセットをエアカッターに取り付けた状態を示す側面図である。
【図８】従来のエアカッターのステープルカセットを示す分解斜視図である。
【符号の簡単な説明】
１、１’          エアカッターのステープルカセット
１０              ベース
１１              第一端
１２              第二端
１３              ガンヘッド
１４              コネクション・ピース
１５              ステープル・スロット
１６              エッジ
２０              スライドベース
２０’            本体
２１              第一端
２１’            スロット
２２              第二端
２３              コンケーブスロット
２４              ギャップ
２５              弾性体
３０、３０ａ、３０ｂ、３０ｃ、３０ｄ、３０ｅ        調整プレート
３１              第一端
３２              第二端
３３              定位ピン
４０              ステープルを押すパーツ
４０’            カバー
４１              スプリングブッシュ
４１’            カバープレート
４２              ステープルを押す爪
４３              スプリング
５１’            フレーム
５３’            ガイドプレート穴
６０              エアカッター本体
６０’            ガイドプレート
６６’            スプリング
７０’            弾性体
８１’            プレート
１０１            内側壁
１０２            外側壁
１３１            ステープル排出口
１３２            ガイドスロット
１４１            ラッチ穴
２０１            外側壁
２０２            内側壁
２３１            スロット
２３２            スプリングスロット
２４１            ねじ穴
２４２            スプリング入れ穴
３１１            貫通穴
３２１            斜めエッジ
３２２            天辺
４２１            隙間
【図１】
2005014139.tif 000003
【図２】
2005014139.tif 000004
【図３】
2005014139.tif 000005
【図４】
2005014139.tif 000006
【図５】
2005014139.tif 000007
【図６】
2005014139.tif 000008
【図７】
2005014139.tif 000009
【図８】
2005014139.tif 000010